(57)【要約】【課題】所定の情報の提供を要求する要求命令を記憶したモバイルスティックを用いて前記情報の提供を要求し、前記情報の提供を要求された情報提供装置が前記情報を提供する情報提供方法、該情報提供方法を利用した情報提供システム、該情報提供システムに用いる情報提供装置、及び該情報提供装置としてコンピュータを機能させるためのコンピュータプログラムを提供する。【解決手段】所定のウェブページの提供を要求する要求命令を記憶するモバイルスティック３を装着された携帯電話機２が、モバイルスティック３から取得した前記要求命令に従って、ウェブサーバ装置１に対して、前記ウェブページの提供を要求する要求情報を送信し、該要求情報を受信したウェブサーバ装置１が、ネットワークＮを介して前記情報を提供する。【選択図】　　　　図１
2004139279.tif 000002
【特許請求の範囲】
【請求項１】
情報の提供を要求させる要求命令を記憶する通信制御器を装着された通信装置が、前記通信制御器から送出された前記要求命令を取得し、該要求命令に従って前記情報の提供を要求する要求情報を、ネットワークを介して前記情報を提供する情報提供装置へ送信し、前記要求情報を受信した前記情報提供装置が、前記要求情報に応じて前記通信装置に前記情報を提供する情報提供方法において、
前記要求情報は、前記通信制御器を特定する特定情報を含んでおり、
前記情報提供装置は、前記要求情報に対応して予め複数の情報を記憶しており、前記複数の情報から、受信した前記要求情報に含まれる特定情報に応じた情報を選択し、選択した前記情報を前記通信装置へ送信することを特徴とする情報提供方法。
【請求項２】
情報の提供を要求させる要求命令を記憶する通信制御器を装着された通信装置が、前記通信制御器から送出された前記要求命令を取得し、該要求命令に従って前記情報の提供を要求する要求情報を、ネットワークを介して前記情報を提供する情報提供装置へ送信し、前記要求情報を受信した前記情報提供装置が、前記要求情報に応じて前記通信装置に前記情報を提供する情報提供システムにおいて、
前記要求情報は、前記通信制御器を特定する特定情報を含んでおり、
前記情報提供装置は、前記要求情報に対応して複数の情報を記憶する記憶手段と、該記憶手段が記憶する複数の情報から、受信した前記要求情報に含まれる特定情報に応じた情報を選択する選択手段と、該選択手段が選択した情報を前記通信装置へ送信する送信手段とを備えることを特徴とする情報提供システム。
【請求項３】
前記特定情報は日付情報を含んでおり、
前記情報提供装置は、時計手段を備え、前記選択手段は、前記特定情報に含まれる日付情報と、前記要求情報を受信した時点で前記時計手段が示した日付情報とを比較する比較手段を有し、該比較手段の比較結果に基づき、前記記憶手段が記憶する情報から、前記特定情報に応じた情報を選択すべくなしてあることを特徴とする請求項２に記載の情報提供システム。
【請求項４】
ネットワークを介して要求された情報を提供する情報提供装置において、
特定情報を含み、前記情報の提供を要求する要求情報を受信する受信手段と、該受信手段が受信した要求情報に対応して複数の情報を記憶する記憶手段と、該記憶手段が記憶する複数の情報から、前記要求情報に含まれる特定情報に応じた情報を選択する選択手段と、
該選択手段が選択した情報を提供する提供手段とを備えることを特徴とする情報提供装置。
【請求項５】
前記特定情報は日付情報を含んでおり、時計手段を備え、
前記選択手段は、前記特定情報に含まれる日付情報と、前記受信手段が前記要求情報を受信した時点で前記時計手段が示した日付情報とを比較する比較手段を有し、該比較手段の比較結果に基づき、前記記憶手段が記憶する情報から、前記特定情報に応じた情報を選択すべくなしてあることを特徴とする請求項４に記載の情報提供装置。
【請求項６】
コンピュータに、ネットワークを介して要求された情報を提供させるためのコンピュータプログラムにおいて、
コンピュータに、特定情報を含み、前記情報の提供を要求する要求情報を受信する受信手段と、該受信手段が受信した要求情報に対応して複数の情報を記憶する記憶手段と、該記憶手段が記憶する複数の情報から、前記要求情報に含まれる特定情報に応じた情報を選択する選択手段と、該選択手段が選択した情報を提供する提供手段として機能させることを特徴とするコンピュータプログラム。
【発明の詳細な説明】
【０００１】
【発明の属する技術分野】
本発明は、情報の提供を要求させる要求命令を記憶する通信制御器を装着された通信装置が、前記要求命令に従って前記情報の提供を要求する要求情報を情報提供装置へ送信し、前記情報提供装置が、前記要求情報に応じて前記通信装置に前記情報を提供する情報提供方法、該情報提供方法を利用した情報提供システム、該情報提供システムに用いる情報提供装置、及び該情報提供装置としてコンピュータを機能させるためのコンピュータプログラムに関するものである。
【０００２】
【従来の技術】
容易に携帯できる通信装置である携帯電話機において、機能拡張が著しく、通話機能だけでなく、電子メールを送受信する電子メール送受信機能及びウェブページの閲覧を可能とするウェブ閲覧機能等を備えた装置がある。
このような携帯電話機は、通話機能，電子メール送受信機能及びウェブ閲覧機能夫々に対応した実行キーを有しており、ユーザが各実行キーを押下することにより、各機能を実行させ、ネットワークを介して提供される各サービスを利用することができる。
【０００３】
また、携帯電話機は軽量化及び小型化が図られており、通話機能を利用する際に相手先の電話番号を入力するために設けられたテンキー等に夫々、仮名文字及び英文字等を割り当てることにより、テンキー等の操作にて仮名文字及び英文字の入力をも可能としている。
具体的には、「１」を入力するためのキーには、仮名文字の「あ行」を割り当ててあり、例えば、文字の入力モードを平仮名モードに設定し、テンキーにおける「１」のキーを３回押下することにより、平仮名の「う」を入力することができる。同様に、「３」を入力するためのキーには、英文字の「Ｄ，Ｅ，Ｆ」を割り当ててあり、例えば、文字の入力モードを英大文字モードに設定し、「３」のキーを２回押下することにより、英大文字の「Ｅ」を入力することができる。
【０００４】
上述のような入力機能を用いることにより、パーソナルコンピュータを用いて電子メールの送受信処理及びウェブページの閲覧処理を行う場合と同様の手法にて、携帯電話機を用いた電子メールの送受信及びウェブページの閲覧を行うことができる。
しかし、上述したように、テンキーには、夫々複数の仮名文字及び英文字が割り当ててあり、ユーザは、所望の文字を入力するために同じキーを複数回押下する必要がある。例えば、仮名文字モードにおける「１」のキーの押下によっては、「あ，い，う，え，お，ぁ，ぃ，ぅ，ぇ，ぉ，あ，い…」の順に、「１」のキーに割り当てられた仮名文字が表示部に表示され、選択対象となる。従って、ユーザが「う」を所望しているにも関わらず、「１」のキーを４回押下してしまった場合、再度「う」が表示部に表示されて選択対象となるまで、「１」のキーを押下し続けなければならなかった。
【０００５】
そこで、プリモ販売株式会社からモバイルスティックと呼ばれる通信制御器が販売されており、このモバイルスティックは、各種処理の実行命令、具体的には、通話機能の実行命令及び通話先の電話番号、ウェブ閲覧処理の実行命令及びＵＲＬ（Ｕｎｉｆｏｒｍ　Ｒｅｓｏｕｒｃｅ　Ｌｏｃａｔｏｒ）情報等を記憶している。
このモバイルスティックは、携帯電話機に設けられた接続端子に接続が可能に構成されており、携帯電話機の接続端子に接続することにより、自身に記憶してある所定処理の実行命令を携帯電話機に送出する。
携帯電話機は、モバイルスティックから所定処理の実行命令を取得した場合、該実行命令に従って、所定処理を実行することにより、各種の機能を実現することができ、これにより、ユーザは携帯電話機にモバイルスティックを接続すればよく、携帯電話機に備えたテンキーからの入力操作を行う必要がなく、入力操作の簡略化を図ることができる（例えば、特許文献１参照）。
【０００６】
【特許文献１】
特開２００２−１５８７８９号公報　（第５−６頁，第１１図）
【０００７】
【発明が解決しようとする課題】
しかし、上述したようなモバイルスティックには、所定処理の実行命令が記憶してあるだけであり、このモバイルスティックを携帯電話機に接続した日時及び所定処理の実行回数には関わらず、同一の処理を実行する。従って、例えば、モバイルスティックに記憶してある実行命令が示す処理が、ウェブページの閲覧処理であった場合、常に同一のウェブページしか閲覧することができず、モバイルスティックが有効に活用されていないという問題があった。
【０００８】
本発明は以上のような事情に鑑みてなされたものであり、ネットワークを介して情報を提供する情報提供装置としてのウェブサーバ装置が、通信装置から受信すべき、情報を公開する所定のウェブページの提供を要求する要求情報に対応して複数のウェブページを予め記憶しており、受信した要求情報に含まれる特定情報に応じたウェブページを提供することにより、同一のモバイルスティックに記憶してある要求命令に従い、ウェブ閲覧処理を実行した場合であっても、ウェブサーバ装置は、前記特定情報に対応して、異なるウェブページを提供する情報提供方法、該情報提供方法を利用した情報提供システム、該情報提供システムに用いる情報提供装置、及びコンピュータを該情報提供装置として動作させるためのコンピュータプログラムを提供することを目的とする。
【０００９】
本発明の他の目的は、所定のウェブページの提供を要求する要求情報に含まれる特定情報が、日時情報を含んでおり、前記要求情報を受信したウェブサーバ装置が、前記特定情報が含む日付情報を、前記要求情報を受信した時点において、自身に備える時計手段が示した日付情報と比較し、その比較結果に基づき、前記特定情報に応じたウェブページを提供することにより、モバイルスティックを特定するための特定情報に含まれる日時情報を基準として、該モバイルスティックが記憶する実行命令に基づく実行日時に対応して異なるウェブページを提供する情報提供システム、及び該情報提供システムに用いる情報提供装置を提供することにある。
【００１０】
【課題を解決するための手段】
第１発明に係る情報提供方法は、情報の提供を要求させる要求命令を記憶する通信制御器を装着された通信装置が、前記通信制御器から送出された前記要求命令を取得し、該要求命令に従って前記情報の提供を要求する要求情報を、ネットワークを介して前記情報を提供する情報提供装置へ送信し、前記要求情報を受信した前記情報提供装置が、前記要求情報に応じて前記通信装置に前記情報を提供する情報提供方法において、前記要求情報は、前記通信制御器を特定する特定情報を含んでおり、前記情報提供装置は、前記要求情報に対応して予め複数の情報を記憶しており、前記複数の情報から、受信した前記要求情報に含まれる特定情報に応じた情報を選択し、選択した前記情報を前記通信装置へ送信することを特徴とする。
【００１１】
第２発明に係る情報提供システムは、情報の提供を要求させる要求命令を記憶する通信制御器を装着された通信装置が、前記通信制御器から送出された前記要求命令を取得し、該要求命令に従って前記情報の提供を要求する要求情報を、ネットワークを介して前記情報を提供する情報提供装置へ送信し、前記要求情報を受信した前記情報提供装置が、前記要求情報に応じて前記通信装置に前記情報を提供する情報提供システムにおいて、前記要求情報は、前記通信制御器を特定する特定情報を含んでおり、前記情報提供装置は、前記要求情報に対応して複数の情報を記憶する記憶手段と、該記憶手段が記憶する複数の情報から、受信した前記要求情報に含まれる特定情報に応じた情報を選択する選択手段と、該選択手段が選択した情報を前記通信装置へ送信する送信手段とを備えることを特徴とする。
【００１２】
第３発明に係る情報提供システムは、第２発明に係る情報提供システムにおいて、前記特定情報は日付情報を含んでおり、前記情報提供装置は、時計手段を備え、前記選択手段は、前記特定情報に含まれる日付情報と、前記要求情報を受信した時点で前記時計手段が示した日付情報とを比較する比較手段を有し、該比較手段の比較結果に基づき、前記記憶手段が記憶する情報から、前記特定情報に応じた情報を選択すべくなしてあることを特徴とする。
【００１３】
第４発明に係る情報提供装置は、ネットワークを介して要求された情報を提供する情報提供装置において、特定情報を含み、前記情報の提供を要求する要求情報を受信する受信手段と、該受信手段が受信した要求情報に対応して複数の情報を記憶する記憶手段と、該記憶手段が記憶する複数の情報から、前記要求情報に含まれる特定情報に応じた情報を選択する選択手段と、該選択手段が選択した情報を提供する提供手段とを備えることを特徴とする。
【００１４】
第５発明に係る情報提供装置は、第４発明に係る情報提供装置において、前記特定情報は日付情報を含んでおり、時計手段を備え、前記選択手段は、前記特定情報に含まれる日付情報と、前記受信手段が前記要求情報を受信した時点で前記時計手段が示した日付情報とを比較する比較手段を有し、該比較手段の比較結果に基づき、前記記憶手段が記憶する情報から、前記特定情報に応じた情報を選択すべくなしてあることを特徴とする。
【００１５】
第６発明に係るコンピュータプログラムは、コンピュータに、ネットワークを介して要求された情報を提供させるためのコンピュータプログラムにおいて、
コンピュータに、特定情報を含み、前記情報の提供を要求する要求情報を受信する受信手段と、該受信手段が受信した要求情報に対応して複数の情報を記憶する記憶手段と、該記憶手段が記憶する複数の情報から、前記要求情報に含まれる特定情報に応じた情報を選択する選択手段と、該選択手段が選択した情報を提供する提供手段として機能させることを特徴とする。
【００１６】
第１，第２，第４及び第６発明による場合は、ネットワークを介して情報を提供する情報提供装置としてのウェブサーバ装置が、通信装置から受信すべき、情報を公開する所定のウェブページの提供を要求する要求情報に対応して複数のウェブページを予め記憶しており、受信した要求情報に含まれる特定情報に応じたウェブページを提供することにより、同一のモバイルスティックに記憶してある要求命令に従い、ウェブ閲覧処理を実行した場合であっても、ウェブサーバ装置は、前記特定情報に対応して、異なるウェブページを提供することができ、モバイルスティックの有効活用を図ることができる。
【００１７】
第３及び第５発明による場合は、所定のウェブページの提供を要求する要求情報に含まれる特定情報が、日時情報を含んでおり、前記要求情報を受信したウェブサーバ装置が、前記特定情報が含む日付情報を、前記要求情報を受信した時点において、自身に備える時計手段が示した日付情報と比較し、その比較結果に基づき、前記特定情報に応じたウェブページを提供することにより、モバイルスティックを特定するための特定情報に含まれる日時情報を基準として、該モバイルスティックが記憶する実行命令に基づく実行日時に対応して異なるウェブページを提供することができる。
【００１８】
【発明の実施の形態】
以下に、本発明に係る情報提供システムを、情報提供装置にウェブサーバ装置を、通信装置に携帯電話機を、通信制御器にモバイルスティックを利用した実施の形態に基づいて詳述する。尚、本実施の形態では、情報提供装置としてのウェブサーバ装置が、ネットワークを介して各通信装置にウェブページ（情報）を提供する構成について説明する。
図１及び図２は本発明に係る情報提供システムの構成を示すブロック図であり、図において１００は本発明に係る情報提供システムを示している。
【００１９】
この情報提供システム１００においては、インターネット等のネットワークＮに接続されたウェブサーバ装置１から、ウェブ閲覧機能を有する携帯電話機２が、該ウェブ閲覧機能を動作させることにより、所望のウェブページを取得することができる。
尚、本実施の形態における情報提供システム１００では、ウェブ閲覧処理実行命令（要求命令）及びＵＲＬ情報（要求情報）を記憶したモバイルスティック３を携帯電話機２に接続することにより、モバイルスティック３から前記ウェブ閲覧処理実行命令及びＵＲＬ情報が携帯電話機２に送出され、該ウェブ閲覧処理実行命令及びＵＲＬ情報を取得した携帯電話機２が、ウェブ閲覧機能を実行することにより、前記ＵＲＬ情報が示す所望のウェブページを閲覧することができる。
【００２０】
携帯電話機２は、ＭＰＵ（ＭｉｃｒｏＰｒｏｃｅｓｓｏｒ　Ｕｎｉｔ）　２０，ＲＡＭ２１，ＲＯＭ２２，モバイルスティック３を接続するためのインタフェース２３，表示部２４，操作部２５，外部と通信を行うための通信インタフェース２６等を備えている。
ＭＰＵ２０は、バスを介して携帯電話機２の上述したようなハードウェア各部と接続されており、それらを制御すると共に、ＲＯＭ２２に格納されたコンピュータプログラムを順次実行する。
【００２１】
ＲＯＭ２２は、携帯電話機２の動作に必要な種々のコンピュータプログラム及びウェブ閲覧処理プログラムを予め記憶している。
ＲＡＭ２１は、ＳＲＡＭ，ＤＲＡＭ，フラッシュメモリ等で構成されており、ＭＰＵ２０によるコンピュータプログラムの実行時に発生する一時的なデータを記憶する。
【００２２】
表示部２４は、液晶表示装置（ＬＣＤ：Ｌｉｑｕｉｄ　Ｃｒｙｓｔａｌ　Ｄｉｓｐｌａｙ）等の表示装置であり、携帯電話機２の動作状態、及びウェブサーバ装置１から取得したウェブページの表示等を行う。
操作部２５は、携帯電話機２に備える各機能を実行させるために必要な実行キー，テンキー等を備えている。
インタフェース２３は、携帯電話機２の一端部分に設けてあり、モバイルスティック３に備えるインタフェース３３と嵌合が可能に構成されている。
【００２３】
モバイルスティック３は、ＭＰＵ３０，ＲＡＭ３１，ＲＯＭ３２，携帯電話機２に接続するためのインタフェース３３等を備えている。
ＭＰＵ３０は、バスを介してモバイルスティック３の上述したようなハードウェア各部と接続されており、インタフェース３３を介して携帯電話機２に接続された場合、携帯電話機２のＭＰＵ２０に、自身のモバイルスティック３が接続された旨を報知する。
【００２４】
ＲＯＭ３２は、モバイルスティック３の動作に必要な種々のコンピュータプログラム，ウェブ閲覧処理実行命令及びＵＲＬ情報を予め記憶している。尚、ＲＯＭ３２にＥＥＰＲＯＭ（Ｅｌｅｃｔｒｉｃａｌｌｙ−Ｅｒａｓｅｒｂｌｅ　ａｎｄ　Ｐｒｏｇｒａｍａｂｌｅ　ＲＯＭ）を用いた場合、記憶すべき実行命令の書換が可能となり、モバイルスティック３を再利用することも可能である。
ＲＡＭ３１は、ＳＲＡＭ，ＤＲＡＭ，フラッシュメモリ等で構成されており、ＭＰＵ３０によるコンピュータプログラムの実行時に発生する一時的なデータを記憶する。
【００２５】
上述したモバイルスティック３において、携帯電話機２に接続された場合、ＭＰＵ３０が、自身のモバイルスティック３が接続された旨を携帯電話機２のＭＰＵ２０に報知する。また、モバイルスティック３が接続されたことを認識した携帯電話機２は、モバイルスティック３に実行命令の送出を要求し、実行命令の送出を要求されたモバイルスティック３は、ＲＯＭ３２に記憶してあるウェブ閲覧処理実行命令及びＵＲＬ情報をＲＡＭ３１に読み出して携帯電話機２に送出する。
携帯電話機２は、モバイルスティック３から取得したウェブ閲覧処理実行命令及びＵＲＬ情報をＲＡＭ２１に記憶し、ＭＰＵ２０の制御により、前記ウェブ閲覧処理実行命令及びＵＲＬ情報に従い、ＲＯＭ２２からウェブ閲覧処理プログラムをＲＡＭ２１に読み出して順次実行することにより、前記ＵＲＬ情報が示す所望のウェブページをウェブサーバ装置１から取得する。
【００２６】
ウェブサーバ装置１は、ＣＰＵ１０，ＲＡＭ１１，ハードディスク（以下、ＨＤという）１２，時計手段１３，外部と通信を行うための通信インタフェース１４等を備えている。
ＣＰＵ１０は、バスを介してウェブサーバ装置１の上述したようなハードウェア各部と接続されており、それらを制御すると共に、ＨＤ１２に格納されたコンピュータプログラムを順次実行する。
【００２７】
ＨＤ１２は、ウェブサーバ装置１の動作に必要な種々のコンピュータプログラム，複数のウェブページ及び本発明に係るコンピュータプログラムにおけるウェブページ選択処理プログラムを予め記憶している。
ＲＡＭ１１は、ＳＲＡＭ，ＤＲＡＭ，フラッシュメモリ等で構成されており、ＣＰＵ１０によるコンピュータプログラムの実行時に発生する一時的なデータを記憶する。尚、ＲＡＭ１１にフラッシュメモリを使用した場合には、停電，ウェブサーバ装置１の移動等のために電源が遮断された場合であっても記憶内容が失われることはない
時計手段１３は、自身のウェブサーバ装置１において、携帯電話機２からウェブページの提供を要求されるた時点における時刻を知るための手段である。
【００２８】
本実施の形態において、モバイルスティック３は所定の講習会における参加者に配布されたものであり、このモバイルスティック３に記憶してあるＵＲＬ情報は、例えば、ｈｔｔｐ：／／ｗｗｗ．ｄｏｃｏｍｏ１．ｎｅ．ｊｐ／１１１１１１１１１１１１　で示されている。
このようなＵＲＬ情報の末尾の「１１１１１１１１１１１１」は、当該モバイルスティック３が前記所定の講習会において配布されたものであることを特定するための特定情報であり、このＵＲＬ情報を取得した携帯電話機２は、このＵＲＬ情報に基づき、所定のウェブページの提供を要求するための要求情報をウェブサーバ装置１へ送信する。
【００２９】
本実施の形態におけるウェブサーバ装置１は、上述した要求情報に対応して複数のウェブページを記憶しており、受信した要求情報に含まれる特定情報から、当該講習会の開催日を認識し、この開催日の当日に当該講習会の参加者に提供するウェブページ，前記開催日の翌日に参加者に提供するウェブページ等、講習会の開催日を基準として異なるウェブページを提供する。
従って、ウェブサーバ装置１は、ネットワークＮを介してＵＲＬ情報を受信した場合、前記ＵＲＬ情報から当該講習会の開催日を認識すると同時に、このＵＲＬ情報を受信した時点における時刻を時計手段１３により取得し、前記開催日を基準として、時計手段１３により取得した時刻に対応するウェブページを、対応する携帯電話機２に提供することになる。
【００３０】
以下に、上述した構成のウェブサーバ装置１により提供される情報提供システムについて説明する。図３は本発明に係る情報提供システムにおける情報提供処理を示すフローチャートである。
所定の講習会に参加してモバイルスティック３を配布されたユーザは、自身において所有する携帯電話機２に備える接続端子であるインタフェース２３にモバイルスティック３を接続する。
【００３１】
モバイルスティック３は、ユーザにより携帯電話機２に接続されたか否かを判断しており（Ｓ１）、携帯電話機２に接続されたと判断した場合、自身のモバイルスティック３を示すコマンドを発行等することにより携帯電話機２に、自身のモバイルスティック３が接続された旨を報知する（Ｓ２）。
モバイルスティック３が接続されたことを認識した携帯電話機２は、モバイルスティック３に、モバイルスティック３が記憶する実行命令の送出を要求し（Ｓ３）、実行命令の送出を要求されたモバイルスティック３は、ＲＯＭ３２からウェブ閲覧処理実行命令及びＵＲＬ情報をＲＡＭ３１に読み出し、携帯電話機２に送出する（Ｓ４）。
【００３２】
モバイルスティック３からウェブ閲覧処理実行命令及びＵＲＬ情報を取得した携帯電話機２は、ウェブ閲覧処理実行命令及びＵＲＬ情報をＲＡＭ２１に記憶させ、ＭＰＵ２０からの制御により前記ウェブ閲覧処理実行命令に従い、自身のＲＯＭ２２に記憶してあるウェブ閲覧処理プログラムをＲＡＭ２１に読み出して、該ウェブ閲覧処理プログラムに含まれるプログラムコードを順次実行することにより、ウェブ閲覧機能を動作させ（Ｓ５）、前記ＵＲＬ情報に基づき、所望するウェブページの提供を要求する要求情報をウェブサーバ装置１へ送信することにより、ウェブサーバ装置１に対して、所望のウェブページの提供を要求する（Ｓ６）。
前記要求情報を受信したウェブサーバ装置１のＣＰＵ１０は、当該要求情報に含まれる特定情報から、対応する講習会及び該講習会の開催日を認識し（Ｓ７）、同時に、時計手段１３により、前記要求情報を受信した時刻を取得する（Ｓ８）。
【００３３】
ウェブサーバ装置１において、ＣＰＵ１０は、ＨＤ１２に記憶してあるウェブページ決定処理プログラムをＲＡＭ１１に読み出して、該ウェブページ決定処理プログラムに含まれるプログラムコードを順次実行することにより、要求されたウェブページを決定する。具体的には、ステップＳ７で抽出した講習会の開催日と、ステップＳ８で取得した時刻とを比較し、該時刻が前記開催日の何日後であるかを算出し、算出した開催日からの日数に対応するウェブページを選択する（Ｓ９）。
またウェブサーバ装置１は、上述のように選択したウェブページを、該ウェブページの提供を要求した携帯電話機２に送信し（Ｓ１０）、携帯電話機２は、前記ウェブページを受信して、表示部２４に表示させる（Ｓ１１）。
【００３４】
図４は携帯電話機２の表示部２４に表示されたウェブページの例を示す図であり、図４（ａ）は講習会の開催日の当日に提供されるウェブページを、図４（ｂ）は講習会の開催日の翌日に提供されるウェブページを、図４（ｃ）は講習会の開催日の翌々日に提供されるウェブページを、図４（ｄ）は講習会の開催日の一週間後に提供されるウェブページを夫々示している。
このように、同一のモバイルスティック３を用いた場合でも、ウェブサーバ装置１にアクセスする日時によって提供するウェブページを変更させることにより、モバイルスティック３の有効活用を図ることができる。また、同一の内容の講習会を異なる複数日に亘って開催した場合であっても、ウェブサーバ装置１により、モバイルスティック３のＵＲＬ情報に基づき各参加者が参加した日時を認識する構成を備えることにより、ウェブサーバ装置１に記憶してある各ウェブページを有効に提供することができる。
【００３５】
上述した実施の形態では、同日に開催される同一内容の講習会において配布されるモバイルスティック３には、同一の「１１１１１１１１１１１１」で示す特定情報を付加する構成を説明したが、同日に開催される同一内容の講習会において配布されるモバイルスティック３に、例えば、「０００００００００１」から「００１０００００００００」まで等の所定の範囲における連続番号で示した特定情報を夫々付加し、ウェブサーバ装置１により、モバイルスティック３のＵＲＬ情報における特定情報である番号が、前記所定の範囲内にあるか否か等に基づき前記講習会の開催日を認識する構成としてもよい。
また、同一の内容の講習会を複数の日に亘って実施する場合には、各日毎に異なる特定情報を付加したモバイルスティック３を配布し、ウェブサーバ装置１が、各特定情報が示す各講習会の開催日を認識して、夫々の開催日を基準として対応するウェブページを提供することにより、ウェブサーバ装置１に記憶するウェブページを、異なる開催日における参加者にも提供することができる。
【００３６】
更に、上述した実施の形態では、ウェブサーバ装置１が、モバイルスティック３を取得した参加者によりアクセスされた時刻に対応して、異なるウェブページを提供する構成を備えているが、日時を基準とする場合に限られず、参加者がウェブサーバ装置１にアクセスした回数に基づき、提供するウェブページを変更する構成としてもよい。
【００３７】
【発明の効果】
第１，第２，第４及び第６発明による場合は、ネットワークを介して情報を提供する情報提供装置としてのウェブサーバ装置が、通信装置から受信すべき、情報を公開する所定のウェブページの提供を要求する要求情報に対応して複数のウェブページを予め記憶しており、受信した要求情報に含まれる特定情報に応じたウェブページを提供することにより、同一のモバイルスティックに記憶してある要求命令に従い、ウェブ閲覧処理を実行した場合であっても、ウェブサーバ装置は、前記特定情報に対応して、異なるウェブページを提供することができ、モバイルスティックの有効活用を図ることができる。
【００３８】
第３及び第５発明による場合は、所定のウェブページの提供を要求する要求情報に含まれる特定情報が、日時情報を含んでおり、前記要求情報を受信したウェブサーバ装置が、前記特定情報が含む日付情報を、前記要求情報を受信した時点において、自身に備える時計手段が示した日付情報と比較し、その比較結果に基づき、前記特定情報に応じたウェブページを提供することにより、モバイルスティックを特定するための特定情報に含まれる日時情報を基準として、該モバイルスティックが記憶する実行命令に基づく実行日時に対応して異なるウェブページを提供することができる。
【図面の簡単な説明】
【図１】本発明に係る情報提供システムの構成を示すブロック図である。
【図２】本発明に係る情報提供システムの構成を示すブロック図である。
【図３】本発明に係る情報提供システムにおける情報提供処理を示すフローチャートである。
【図４】携帯電話機の表示部に表示されたウェブページの例を示す図である。
【符号の説明】
１　ウェブサーバ装置（情報提供装置）
１３　時計手段
２　携帯電話機（通信装置）
２３　インタフェース
３　モバイルスティック（通信制御器）
３３　インタフェース
【図１】
2004139279.tif 000003
【図２】
2004139279.tif 000004
【図３】
2004139279.tif 000005
【図４】
2004139279.tif 000006